(57)【要約】【課題】  光源にハロゲンランプを使用せずに発光ダイオードを用いることで、ランプ寿命を長くし、ランニングコストを抑えること。【解決手段】  ランプハウス１内の光源として発光ダイオード５を用いる。ランプハウス１のアダプター１０に着脱自在に光ファイバーケーブル２０の一端が装着される。光ファイバーケーブル２０内には、無数の光ファイバー素線からなる光ファイバー群２２が納装され、光ファイバー群２２の先端側はヘッド部３０内に案内されて、その先端面を発光面３１としている。発光ダイオード５からの光は凸レンズ１１で収束され、光ファイバーケーブル２０内の光ファイバー群２２を介して光伝導され、ヘッド部３０の先端の発光面３１より発光される。【選択図】        図３
0003108911.tif 000002
【実用新案登録請求の範囲】
【請求項１】
光源として発光ダイオード（５）を用いたランプハウス（１）と、このランプハウス（１）に一端が着脱自在に装着され前記発光ダイオード（５）の光を光伝導する光ファイバー群（２２）と、この光ファイバー群（２２）の他端に装着され先端面に前記光ファイバー群（２２）からの光を発光する発光面（３１）を設けたヘッド部（３０）とからなることを特徴とする画像処理用光源・照明装置。
【請求項２】
前記ヘッド部（３０）の発光面（３１）の大きさを小径としてスポット照明用としていることを特徴とする請求項１に記載の画像処理用光源・照明装置。
【請求項３】
前記ヘッド部（３０）の発光面（３１）の形状を細長状に形成して横長のライン照明用としていることを特徴とする請求項１に記載の画像処理用光源・照明装置。
【請求項４】
前記ヘッド部（３０）の発光面（３１）をリング状に形成してリング照明用としていることを特徴とする請求項１に記載の画像処理用光源・照明装置。
【請求項５】
前記発光ダイオード（５）の発光色を白色、赤色、緑色、青色のうち任意の色としていることを特徴とする請求項１〜請求項４にいずれか記載の画像処理用光源・照明装置。
【請求項６】
前記発光ダイオード（５）は、前記ランプハウス（１）内で１個または２個以上用いていることを特徴とする請求項１〜請求項５にいずれか記載の画像処理用光源・照明装置。
【請求項７】
光源として赤色を発光する発光ダイオード（５Ｒ）を用いた第１のランプハウス（１Ｒ）と、光源として緑色を発光する発光ダイオード（５Ｇ）を用いた第２のランプハウス（１Ｇ）と、光源として青色を発光する発光ダイオード（５Ｂ）を用いた第３のランプハウス（１Ｂ）と、
前記各ランプハウス（１Ｒ）、（１Ｇ）、（１Ｂ）にそれぞれ一端が着脱自在に装着され前記各発光ダイオード（５Ｒ）、（５Ｇ）、（５Ｂ）の光を光伝導する光ファイバー群（２２Ｒ）、（２２Ｇ）、（２２Ｂ）と、
前記各光ファイバー群（２２Ｒ）、（２２Ｇ）、（２２Ｂ）の束ねられた他端に装着され先端面に前記光ファイバー群（２２Ｒ）、（２２Ｇ）、（２２Ｂ）からの光を発光する発光面（３１）を設けたヘッド部（３０）とからなることを特徴とする画像処理用光源・照明装置。
【請求項８】
前記ヘッド部（３０）の発光面（３１）から照射される光を混色して被照射面（４８）に白色、あるいは中間色を照射するようにしていることを特徴とする請求項７に記載の画像処理用光源・照明装置。
【請求項９】
前記発光ダイオード（５）は、１台のランプハウス（１Ｒ）、（１Ｇ）、（１Ｂ）内で１個または２個以上用いていることを特徴とする請求項７又は請求項８に記載の画像処理用光源・照明装置。
【考案の詳細な説明】
【技術分野】
【０００１】
本考案は、工場等において製品の外観や傷の検査をＣＣＤカメラを用いて行なう際に用いられる画像処理用光源・照明装置に関するものである。
【背景技術】
【０００２】
この種の工場等において製品の外観や傷の検査をＣＣＤカメラを用いて行なう際に用いられる画像処理用光源・照明装置の光源として従来よりハロゲンランプが用いられている。このハロゲンランプは、ランプ寿命が短いという問題があり、また、ハロゲンランプの電源のオン、オフを繰り返していると、一層ランプ寿命が短くなるという問題があった。
【０００３】
特に、ハロゲンランプを点灯しっぱなしではなく、製品がラインを流れてきてから通過するまでの間だけ、ハロゲンランプを点灯（オン）させて製品に光を当てて検査を行ない、製品が通過して時点でハロゲンランプを消灯（オフ）させるという制御を行なう場合がある。
かかる場合には、ハロゲンランプのオン、オフが頻繁に行なわれることになり、ランプ寿命が更に短くなるという問題があった。そのため、ハロゲンランプの交換が多くなり、全体としてのランニングコストが高くつくことになる。
【考案の開示】
【考案が解決しようとする課題】
【０００４】
本考案は上述の問題点に鑑みて提供したものであって、光源にハロゲンランプを使用せずに発光ダイオードを用いることで、ランプ寿命を長くし、ランニングコストを抑えることを目的とした画像処理用光源・照明装置を提供するものである。
【課題を解決するための手段】
【０００５】
そこで、本考案の請求項１記載の画像処理用光源・照明装置では、光源として発光ダイオード５を用いたランプハウス１と、このランプハウス１に一端が着脱自在に装着され前記発光ダイオード５の光を光伝導する光ファイバー群２２と、この光ファイバー群２２の他端に装着され先端面に前記光ファイバー群２２からの光を発光する発光面３１を設けたヘッド部３０とからなることを特徴としている。
【０００６】
請求項２に記載の画像処理用光源・照明装置では、前記ヘッド部３０の発光面３１の大きさを小径としてスポット照明用としていることを特徴としている。
【０００７】
請求項３に記載の画像処理用光源・照明装置では、前記ヘッド部３０の発光面３１の形状を細長状に形成して横長のライン照明用としていることを特徴としている。
【０００８】
請求項４に記載の画像処理用光源・照明装置では、前記ヘッド部３０の発光面３１をリング状に形成してリング照明用としていることを特徴としている。
【０００９】
請求項５に記載の画像処理用光源・照明装置では、前記発光ダイオード５の発光色を白色、赤色、緑色、青色のうち任意の色としていることを特徴としている。
【００１０】
請求項６に記載の画像処理用光源・照明装置では、前記発光ダイオード５は、前記ランプハウス１内で１個または２個以上用いていることを特徴としている。
【００１１】
請求項７に記載の画像処理用光源・照明装置では、光源として赤色を発光する発光ダイオード５Ｒを用いた第１のランプハウス１Ｒと、光源として緑色を発光する発光ダイオード５Ｇを用いた第２のランプハウス１Ｇと、光源として青色を発光する発光ダイオード５Ｂを用いた第３のランプハウス１Ｂと、
前記各ランプハウス１Ｒ、１Ｇ、１Ｂにそれぞれ一端が着脱自在に装着され前記各発光ダイオード５Ｒ、５Ｇ、５Ｂの光を光伝導する光ファイバー群２２Ｒ、２２Ｇ、２２Ｂと、
前記各光ファイバー群２２Ｒ、２２Ｇ、２２Ｂの束ねられた他端に装着され先端面に前記光ファイバー群２２Ｒ、２２Ｇ、２２Ｂからの光を発光する発光面３１を設けたヘッド部３０とからなることを特徴としている。
【００１２】
請求項８に記載の画像処理用光源・照明装置では、前記ヘッド部３０の発光面３１から照射される光を混色して被照射面４８に白色、あるいは中間色を照射するようにしていることを特徴としている。
【００１３】
請求項９に記載の画像処理用光源・照明装置では、前記発光ダイオード５Ｒ、５Ｇ、５Ｂは、１台のランプハウス１Ｒ、１Ｇ、１Ｂ内で１個または２個以上用いていることを特徴としている。
【考案の効果】
【００１４】
本考案の請求項１に記載の画像処理用光源・照明装置によれば、画像処理用光源・照明装置のランプハウス１の光源として発光ダイオード５を用いているので、ハロゲンランプの場合と比べて長寿命化を図ることができる。また、電源のオン、オフを繰り返して発光ダイオード５のオン、オフを頻繁に行なっても、ハロゲンランプの場合とは異なり、寿命を短くすることもない。
そのため、製品の検査を行なう場合、製品が通過している時だけ発光ダイオード５を点灯（オン）させ、製品が通過した後は発光ダイオード５を消灯（オフ）させるように制御しても、発光ダイオード５の寿命を短くすることもない。また、製品の非検査時は、発光ダイオード５をオフさせているので、消費電力も少なくなり、全体としてランニングコストを低く抑えることができる。
【００１５】
請求項２に記載の画像処理用光源・照明装置によれば、ヘッド部３０の発光面３１の大きさを小径としてスポット照明用としているので、被照射面の光度を上げることができる。
【００１６】
請求項３に記載の画像処理用光源・照明装置によれば、ヘッド部３０の発光面３１の形状を細長状に形成して横長のライン照明用としているので、検査部がある幅を有している場合に特に有効である。
【００１７】
請求項４に記載の画像処理用光源・照明装置によれば、ヘッド部３０の発光面３１をリング状に形成してリング照明用としているので、被照射面４８には無影の照明を行なうことができ、検査を確実に行なうことができる。
【００１８】
請求項５に記載の画像処理用光源・照明装置によれば、発光ダイオード５の発光色を白色、赤色、緑色、青色のうち任意の色としているので、ワークの種類に応じて対応させることができる。
【００１９】
請求項６に記載の画像処理用光源・照明装置によれば、発光ダイオード５は、ランプハウス１内で１個または２個以上用いているので、特に、２個以上の発光ダイオード５を用いている場合には、被照射面４８における光度を一層上げることができる。
【００２０】
請求項７に記載の画像処理用光源・照明装置によれば、請求項１の効果に加えて、ヘッド部３０において光の３原色を用いて白色光を発光させたり、中間色の色も生成することができる。
【００２１】
請求項８に記載の画像処理用光源・照明装置によれば、ヘッド部３０の発光面３１から照射される光を混色して被照射面４８に白色、あるいは中間色を照射するようにしているので、任意の色を被照射面４８に照射することができ、ワークの種類に対応させることができる。
【００２２】
請求項９に記載の画像処理用光源・照明装置によれば、発光ダイオード５Ｒ、５Ｇ、５Ｂは、１台のランプハウス１Ｒ、１Ｇ、１Ｂ内で１個または２個以上用いているので、特に、２個以上の発光ダイオード５Ｒ、５Ｇ、５Ｂを用いている場合には、被照射面４８における光度を一層上げることができる。
【考案を実施するための最良の形態】
【００２３】
以下、本考案の実施の形態を図面を参照して詳細に説明する。本考案の画像処理用光源・照明装置は、光源を納装したランプハウスと、このランプハウスに一端が着脱自在に装着固定されてランプハウスからの光を他端へ光伝導させる光ファイバーケーブルと、この光ファイバーケーブルの先端に装着されて製品の被照射面に光伝導された光を照射するためのヘッド部とで構成されている。
【００２４】
図１は上記ランプハウス１を示しており、底面の四隅にゴム脚２が設けられている略コ字型のベース３と、このベース３の上面を覆う略コ字型のカバー４とで外殻を形成している。ランプハウス１内には、白色、赤色、青色、緑色などの任意の色を発光する発光ダイオード５や、この発光ダイオード５を駆動するための制御回路を実装したプリント基板６等が配置されている。
また、ランプハウス１の背面側には冷却用のファンモータ７や電源コードが接続される端子台８が設けられている。
【００２５】
一方、ランプハウス１の前面側には、上記光ファイバーケーブルの一端が挿入されて着脱自在に装着固定されるアダプター１０が設けられており、このアダプター１０は略円筒状に形成されている。アダプター１０の基部はランプハウス１内に位置し、その端面の近傍には発光ダイオード５からの光を収束させるための凸レンズ１１が配置されている。
また、アダプター１０の上面側には、固定ネジ１２が進退自在に設けられていて、アダプター１０内に挿入された光ファイバーケーブルの基部の表面を固定ネジ１２にて押し付けて光ファイバーケーブルをアダプター１０に固定するようになっている。
【００２６】
次に、上記光ファイバーケーブル２０について説明する。図２に示すように、この光ファイバーケーブル２０は、肉厚の薄いステンレス製で屈曲自在な円筒状の保護管２１と、図２（ｂ）に示すようにこの保護管２１内に直径が髪の毛より小さい光ファイバー素線を何百、何千本を保護管２１の全長にわたって納装した光ファイバー群２２と、光ファイバー群２２の一方に設けられて上記ランプハウス１のアダプター１０に挿入接続される略円筒状の光源接続金具２３とで構成されている。また、光ファイバー群２２の他方にはヘッド部３０が接続される。
【００２７】
光ファイバーケーブル２０の一方の光源接続金具２３の端面からヘッド部３０の端面まで光ファイバー群２２が納装されており、光ファイバー群２２の両側の端面は適宜な処理が施されて光源接続金具２３及びヘッド部３０の端面に露出している。なお、図２（ｂ）は、ヘッド部３０の端面の部分を示しており、この端面を発光ダイオード５からの光が照射される発光面３１としている。
【００２８】
光ファイバーケーブル２０の光源接続金具２３の細径とした挿入部２３ａがアダプター１０内に挿入され、固定ネジ１２により挿入部２３ａが固定され、光ファイバーケーブル２０がランプハウス１に接続される。
そして、ランプハウス１の発光ダイオード５が発光し、その光が光ファイバーケーブル２０の光ファイバー群２２を介してヘッド部３０の端面まで光伝導され、ヘッド部３０の端面の発光面３１が発光し、製品の被照射面に照射されて検査が行なわれる。
【００２９】
なお、ヘッド部３０を装着した光ファイバーケーブル２０の長さは、例えば、５０ｃｍくらいから２ｍ等任意の長さに設定できるものであり、また、光ファイバーケーブル２０の光源接続金具２３や該光源接続金具２３の挿入部２３ａの長さも任意に設定できる。さらに、ヘッド部３０の長さも任意に設定できるものである。
【００３０】
図３はヘッド部３０の他の形状の例を示しており、また、光ファイバーケーブル２０をランプハウス１に接続した状態を示している。この図３に示すヘッド部３０も図２の場合と同様に光ファイバーケーブル２０と一体的に構成されており、光ファイバーケーブル２０の光ファイバー群２２の先端がヘッド部３０の先端面まで納装され、その先端面を発光面３１としている。
【００３１】
なお、図２及び図３に示すような画像処理用光源・照明装置のヘッド部３０はスポット照明や、テレセンレンズ用照明として用いられる。また、図２及び図３に示すヘッド部３０の先端面の直径は例えば、約６ｍｍとし、スポット照明として適切な大きさの発光面３１を形成している。また、スポット照明用としているので、被照射面の光度を上げることができる。
【００３２】
このように、図１〜図３に示す実施形態では、画像処理用光源・照明装置のランプハウス１の光源として発光ダイオード５を用いているので、ハロゲンランプの場合と比べて長寿命化を図ることができる。また、電源のオン、オフを繰り返して発光ダイオード５のオン、オフを頻繁に行なっても、ハロゲンランプの場合とは異なり、寿命を短くすることもない。
そのため、製品の検査を行なう場合、製品が通過している時だけ発光ダイオード５を点灯（オン）させ、製品が通過した後は発光ダイオード５を消灯（オフ）させるように制御しても、発光ダイオード５の寿命を短くすることもない。また、製品の非検査時は、発光ダイオード５をオフさせているので、消費電力も少なくなり、全体としてランニングコストを低く抑えることができる。
【００３３】
（第２の実施の形態）
図４は、ライン（横長）に対応させた場合のヘッド部３０の実施形態を示すものである。なお、ランプハウス１、光ファイバーケーブル２０自体は先の実施形態と同様のものを使用しており、ヘッド部３０の構成を横長に形成したものである。
図４（ａ）はヘッド部３０の正面図を示し、図４（ｂ）はヘッド部３０の底面図を示している。
【００３４】
ヘッド部３０は偏平で長方形状のケース３３で外殻を構成し、ケース３３の上面には光ファイバーケーブル２０の端部が挿入される円筒状の接続部３４が一体的に設けられている。また、ケース３３の内部には空洞部３５が形成されていて、この空洞部３５内まで光ファイバーケーブル２０の光ファイバー群２２が配線されている。
そして、光ファイバー群２２の先端部分がヘッド部３０の下面に形成した細長状の開口部３６の開口面まで配線されており、光ファイバー群２２の先端部分が適宜な処理がなされて、光ファイバー群２２の先端部分が細長状に開口部３６に露出している。この開口部３６を発光面３１としている。
【００３５】
ライン型のヘッド部３０の発光面３１の横方向の長さは、例えば１００ｍｍとし、ある幅をもって製品に光を照射して外観検査を行なうようにしている。
【００３６】
図４に示すライン型のヘッド部３０においても、ランプハウス１に光源として発光ダイオード５を用いているので、先の実施形態と同様の効果を奏するものである。特に、ヘッド部３０の発光面３１の形状を細長状に形成して横長のライン照明用としているので、検査部がある幅を有している場合に特に有効である。
【００３７】
（第３の実施の形態）
次に、第３の実施形態について説明する。本実施形態を示す図５は、いわゆるリング照明タイプのヘッド部３０の例を示しており、図５（ａ）は平面図を示し、図５（ｂ）は要部断面図を示している。この実施形態においても、ランプハウス１及び光ファイバーケーブル２０は先の実施形態と同様のものを用いており、ヘッド部３０の構造が異なるだけである。
【００３８】
上記ヘッド部３０は略円形に形成されており、ケース４０の中央部には上下に貫通する貫通孔４１が形成されている。また、ケース４０の上面には４つの取り付け用のねじ穴４２が設けられ、ケース４０の側面には光ファイバーケーブル２０の保護管２１及び光ファイバー群２２が挿入される接続部４３が形成されている。
【００３９】
さらに、ヘッド部３０のケース４０の中央部分の円筒状の内壁４４とケース４０の側壁４５との間にはリング状の空洞部４６が形成され、この空洞部４６は下面が開口されている。そして、光ファイバーケーブル２０の光ファイバー群２２の先端部分がこの空洞部４６内を周回させる形で配置され、光ファイバー群２２の先端は空洞部４６の下面、つまりケース４０の下面に向けて配置される。
【００４０】
図６はこの状態を示し、ヘッド部３０の空洞部４６内での光ファイバー群２２の下面を実線を示しており、このある角度をもって傾斜させた面が発光面３１である。この発光面３１の角度を所定の角度に設定することで、製品の表面の被照射面４８に光を収束させて、被照射面４８での光度を上げることができる。
なお、このリング照明タイプのヘッド部３０では、ランプハウス１の発光ダイオード５の発光色を、白色、赤色、緑色、青色等の任意のものを用いることで、ユーザーのニーズに合わせて種々の発光色に対応させることができる。
【００４１】
図５及び図６に示すリング照明タイプのヘッド部３０においても、ランプハウス１に光源として発光ダイオード５を用いているので、先の実施形態と同様の効果を奏するものである。特にヘッド部３０の発光面３１をリング状に形成してリング照明用としているので、被照射面４８には無影の照明を行なうことができ、検査を確実に行なうことができる。
また、上記各実施の形態においては、発光ダイオード５の発光色を白色、赤色、緑色、青色のうち任意の色を用いることができ、そのため、検査対象であるワークの種類に応じて対応させることができる。
【００４２】
（第４の実施の形態）
次に、第４の実施形態を図７〜図１２を用いて説明する。本実施形態では、赤色、青色、緑色の３色の光源を用いて、光の３原色にて白色光や中間色を生成したり、個別の色を照射可能としたものである。
【００４３】
図７に示すように、３台のランプハウス１を設け、ランプハウス１Ｒには赤色を発光させる発光ダイオード５Ｒを用い、ランプハウス１Ｇには緑色を発光させる発光ダイオード５Ｇを用い、ランプハウス１Ｂには青色を発光させる発光ダイオード５Ｂを用いている。
各ランプハウス１Ｒ、１Ｇ、１Ｂと着脱自在に装着される光ファイバーケーブル２０の構成は先の実施形態と同様であるが、便宜上、発光色に対応させてＲ、Ｇ、Ｂを付与している。
【００４４】
３本の光ファイバーケーブル２０Ｒ、２０Ｇ、２０Ｂの先端側は、円筒状の中継金具５０にて束ねられ、さらにこの中継金具５０を通過した光ファイバーケーブル２０Ｒ、２０Ｇ、２０Ｂの光ファイバー群２２Ｒ、２２Ｇ、２２Ｂを保護管５１を介してヘッド部３０内へ案内している。
図８は、上記中継金具５０、ヘッド部３０の構成を示し、図１０は中継金具５０の断面図を示している。
【００４５】
本実施形態のヘッド部３０もリング照明タイプであり、図８に示すように、円形のケース５３の上面にはヘッド部３０取り付け用のねじ穴５４が設けられ、また、上下に貫通する貫通孔５５が設けられている。ケース５３の側面には保護管５１及び３つの光ファイバー群２２Ｒ、２２Ｇ、２２Ｂが挿入される接続部５６が形成されている。
【００４６】
さらに、ヘッド部３０のケース５３の中央部分の円筒状の内壁５８とケース５３の側壁５９との間にはリング状の空洞部６０が形成され、この空洞部６０は下面が開口されている。そして、３つの光ファイバー群２２Ｒ、２２Ｇ、２２Ｂの先端部分がこの空洞部６０内を周回させる形で３つに分離されて配置され、光ファイバー群２２Ｒ、２２Ｇ、２２Ｂの先端は空洞部６０の下面、つまりケース５３の下面に向けて配置される。
【００４７】
図９はヘッド部３０の平面図を示しており、例えば、ヘッド部３０の空洞部６０内で内側から赤色の光ファイバー群２２Ｒ、緑色の光ファイバー群２２Ｇ、青色光ファイバー群２２Ｂがリング状に分離した状態で配置されている。
【００４８】
図１１は、被照射面４８で白色となるように、光ファイバー群２２Ｒ、２２Ｇ、２２Ｂの先端面の角度を設定した場合を示し、その発光面３１から被照射面４８へ照射される箇所で収束されて、白色にて照射する。また、ヘッド部３０の光ファイバー群２２Ｒ、２２Ｇ、２２Ｂの発光面３１の傾きを変えることで、中間色を生成することもできる。
【００４９】
図１２は、光ファイバー群２２Ｒ、２２Ｇ、２２Ｂの発光面３１の傾きを緩くして、発光面３１からの色が、赤色、青色、緑色がそれぞれリング状に個別に照射されるようにし、被照射面４８の箇所で光を収束させるようにしたものである。また、各光ファイバー群２２Ｒ、２２Ｇ、２２Ｂの発光面３１の傾きを変えることで、中間色の生成もすることができる。
【００５０】
このように、本実施形態では、リング照明タイプのヘッド部３０において、光の３原色を用いて白色光を発光させたり、中間色も色も生成することができる。また、３台のランプハウス１Ｒ、１Ｇ、１Ｂには、光源として赤色、緑色、青色を発光させる発光ダイオード５Ｒ、５Ｇ、５Ｂを用いているので、先の実施形態と同様に長寿命化やランニングコストを抑える等の効果を奏するものである。
また、白色や中間色等の任意の色を被照射面４８に照射することができ、検査部であるワークの種類に対応させることができる。
【００５１】
なお、上記各実施形態において、ランプハウス１で使用している発光ダイオード５の数を一例として１個の場合を示しているが、発光ダイオード５の数は１個の場合に限らず、２個以上の発光ダイオード５を使用しても良い。かかる場合には、被照射面４８における光度を一層上げることができる。
また、第４の実施形態において、ランプハウス１Ｒ、１Ｇ、１Ｂで使用している発光ダイオード５Ｒ、５Ｇ、５Ｂの数を一例としてそれぞれ１個の場合を示しているが、発光ダイオード５Ｒ、５Ｇ、５Ｂの数は１個の場合に限らず、２個以上の発光ダイオード５Ｒ、５Ｇ、５Ｂを使用しても良い。かかる場合には、被照射面４８における光度を一層上げることができる。
【図面の簡単な説明】
【００５２】
【図１】（ａ）〜（ｃ）は本考案の実施の形態におけるランプハウスの平面図、側面図及び正面図である。
【図２】（ａ）〜（ｃ）は本考案の実施の形態におけるヘッド部及び光ファイバーケーブルの側面図、ヘッド部の側面図及び光ファイバーケーブルの拡大断面図である。
【図３】本考案の実施の形態における他の例のヘッド部を設けた場合の画像処理用光源・照明装置の構成図である。
【図４】（ａ）（ｂ）は本考案の第２の実施の形態におけるヘッド部の正面図及び底面図である。
【図５】（ａ）（ｂ）は本考案の第３の実施の形態におけるヘッド部及び光ファイバーケーブルの平面図及び要部断面図である。
【図６】本考案の第３の実施の形態におけるヘッド部での照射の説明図である。
【図７】本考案の第４の実施の形態における画像処理用光源・照明装置の構成図である。
【図８】（ａ）（ｂ）は本考案の第４の実施の形態におけるヘッド部及び光ファイバーケーブルの平面図及び要部断面図である。
【図９】本考案の第４の実施の形態におけるヘッド部の底面図である。
【図１０】本考案の第４の実施の形態における中継金具での拡大断面図である。
【図１１】本考案の第４の実施の形態におけるヘッド部での照射の説明図である。
【図１２】本考案の第４の実施の形態におけるヘッド部での照射の説明図である。
【符号の説明】
【００５３】
１  ランプハウス
１Ｒ、１Ｇ、１Ｂ  ランプハウス
５  発光ダイオード
５Ｒ、５Ｇ、５Ｂ  発光ダイオード
２０  光ファイバーケーブル
２２  光ファイバー群
２２Ｒ、２２Ｇ、２２Ｂ  光ファイバー群
３０  ヘッド部
３１  発光面
４８  被照射面
【図１】
0003108911.tif 000003
【図２】
0003108911.tif 000004
【図３】
0003108911.tif 000005
【図４】
0003108911.tif 000006
【図５】
0003108911.tif 000007
【図６】
0003108911.tif 000008
【図７】
0003108911.tif 000009
【図８】
0003108911.tif 000010
【図９】
0003108911.tif 000011
【図１０】
0003108911.tif 000012
【図１１】
0003108911.tif 000013
【図１２】
0003108911.tif 000014